(57)【要約】【課題】所望の色に着色された鮮やかで視認性の良好な色のゴルフボールを提供する。【解決手段】コア１２をカバー１４、１６で被覆してなるゴルフボール１０であって、前記カバー１４、１６が、少なくとも、前記コア１２の外周部を被覆する内層カバー１４と、前記コア１２に被覆された前記内層カバー１４の外周部を被覆する半透明の外層カバー１６とを備え、前記内層カバー１４と前記外層カバー１６とが異なる色に着色され、これらの色を光学的に混色することにより、発色材料を混合させて所望の色を生成する場合に比較すると、濁りがなく、各色の鮮やかさを維持することができ、所望の色からなる鮮やかなゴルフボール１０を得ることができる。【選択図】図１
2011234978.tif 000002
【特許請求の範囲】
【請求項１】
コアをカバーで被覆してなるゴルフボールであって、
前記カバーが、少なくとも、前記コアの外周部を被覆する内層カバーと、前記コアに被覆された前記内層カバーの外周部を被覆する半透明の外層カバーとを備え、
前記内層カバーと前記外層カバーとが異なる色に着色されることを特徴とするゴルフボール。
【請求項２】
請求項１記載のゴルフボールにおいて、
前記内層カバーが半透明であり、前記コアは、前記内層カバー及び前記外層カバーと異なる色に設定されることを特徴とするゴルフボール。
【請求項３】
請求項１又は２記載のゴルフボールにおいて、
前記カバーには、所望の色の蛍光染料が含まれることを特徴とするゴルフボール。
【請求項４】
請求項２又は３記載のゴルフボールにおいて、
前記コアは、白色に設定されることを特徴とするゴルフボール。
【発明の詳細な説明】
【技術分野】
【０００１】
本発明は、所望の色に着色されたゴルフボールに関する。
【背景技術】
【０００２】
ゴルフボールの最外層であるカバーは、白色であるのが一般的であるが、用途に応じて、カバーを黄色やオレンジ色に着色したゴルフボール（カラーボール）も市販されている。例えば、冬期にプレーする場合、枯れた芝の上では、カラーボールの視認性が良いためである。
【０００３】
また、カラーボールは、複数のプレーヤでゴルフプレーを行う場合、プレーヤ毎に異なる色のゴルフボールを使用し、自分のゴルフボールと他者のゴルフボールとを識別するために利用することができる。
【０００４】
このようなカラーボールは、通常、所望の色からなる顔料や蛍光染料をアイオノマー樹脂等に分散溶融させ、この材料を圧縮成形法によりコア上にカバー層として形成して製造される（特許文献１参照）。
【先行技術文献】
【特許文献】
【０００５】
【特許文献１】特開平１０−１５５９３７号公報
【発明の概要】
【発明が解決しようとする課題】
【０００６】
ところで、ゴルフボールを所望の色に着色するため、所定の色の顔料や蛍光染料を選択し、これらを所定の配合比で混合させた場合、混合前の単独の顔料や蛍光染料の色と比較すると、鮮やかさが低下してしまう。鮮やかさが低下すると、特に遠くからゴルフボールを見た場合の視認性も低下するため、自分のゴルフボールの確認が困難になるだけでなく、複数のプレーヤ間で異なるカラーボールを使用した場合において、自他のゴルフボールを識別することが困難となる。また、鮮やかさが低下すると、人間が識別可能な色相の範囲も狭くなるため、結局、所望の色のゴルフボールを得ることができなくなってしまう。
【０００７】
本発明は、上記の欠点を解消するためになされたものであり、所望の色に着色された鮮やかで視認性の良好なゴルフボールを提供することを目的とする。
【課題を解決するための手段】
【０００８】
本発明に係るゴルフボールは、コアをカバーで被覆してなるゴルフボールであって、前記カバーが、少なくとも、前記コアの外周部を被覆する内層カバーと、前記コアに被覆された前記内層カバーの外周部を被覆する半透明の外層カバーとを備え、前記内層カバーと前記外層カバーとが異なる色に着色されることを特徴とする。
【０００９】
前記ゴルフボールにおいて、前記内層カバーが半透明であり、前記コアは、前記内層カバー及び前記外層カバーと異なる色に設定されることを特徴とする。
【００１０】
前記ゴルフボールにおいて、前記カバーには、所望の色の蛍光染料が含まれることを特徴とする。
【００１１】
前記ゴルフボールにおいて、前記コアは、白色に設定されることを特徴とする。
【発明の効果】
【００１２】
本発明のゴルフボールは、コアの外周部を被覆する内層カバーの色と、内層カバーの外周部を被覆する半透明の外層カバーの色とが混色されることで、所望の色に着色されたゴルフボールを得ることができる。また、カバーを内層カバー及び外層カバーに分離し、少なくとも外層カバーを半透明とすることで、鮮やかで視認性の良好なゴルフボールを得ることができる。
【図面の簡単な説明】
【００１３】
【図１】本発明の実施形態に係るゴルフボールの断面図である。
【図２】本発明の実施例に係るゴルフボール及び比較例に係るゴルフボールの組成と、完成品であるゴルフボールの見た目の色及び比較結果とを示す図表である。
【発明を実施するための形態】
【００１４】
以下、本発明の実施形態について図面を参照して説明する。
【００１５】
図１は、本実施形態のゴルフボール１０の断面図である。ゴルフボール１０は、コア１２と、コア１２の外周部に被覆される半透明の内層カバー１４と、内層カバー１４の外周部に被覆される半透明の外層カバー１６とを備える。
【００１６】
コア１２は、天然ゴム又は合成ゴム等のゴム組成物からなるソリッドコアであり、内層カバー１４及び外層カバー１６とは異なる色に設定されている。
【００１７】
内層カバー１４は、コア１２の外周部に樹脂材料を射出成形することで被覆される。同様に、外層カバー１６は、内層カバー１４の外周部に樹脂材料を射出成形することで被覆される。内層カバー１４及び外層カバー１６は、例えば、アイオノマー樹脂材料又はこれを含む材料に、所望の発色特性を有する光輝顔料や蛍光染料を混合させることで、異なる色に着色された半透明の材料から形成される。
【００１８】
このように構成されるゴルフボール１０は、外層カバー１６が半透明であるため、外層カバー１６の色と、内層カバー１４の色とを混色した色のゴルフボール１０を得ることができる。また、内層カバー１４も半透明とすることにより、内層カバー１４及び外層カバー１６の色にコア１２の色をさらに混色した色のゴルフボール１０を得ることができる。
【００１９】
また、外層カバー１６が半透明であるため、入射した光の光量が外層カバー１６内で吸収されて大幅に減衰してしまうことがなく、外層カバー１６の内部で反射を繰り返して内層カバー１４に到達するため、ゴルフボール１０からは、十分な光量の反射光を得ることができる。従って、高輝度で視認性の高いゴルフボール１０とすることができる。
【００２０】
また、外層カバー１６とともに内層カバー１４も半透明とし、コア１２の色を白色、又は、反射率の高い色とすれば、外層カバー１６及び内層カバー１４を介してコア１２に到達した光が反射されて外部に射出されるため、一層輝度の高いゴルフボール１０を得ることができる。
【００２１】
また、蛍光染料のような発色材料の場合、１つの発色材料の色が鮮やかであっても、複数の発色材料を混合させてしまうと、各発色材料の色が半透明の状態から、べたの状態に移行し、いわゆる、色の濁りが発生することが知られている。これに対して、本実施形態のゴルフボール１０は、異なる色の内層カバー１４及び外層カバー１６をそれぞれ独立に形成し、これらを通過した光を合成しているため、発色材料を混合させて所望の色を生成する場合に比較すると、濁りがなく、各色の鮮やかさを維持することができる。従って、所望の色からなり、且つ、鮮やかなゴルフボール１０を得ることができる。
【００２２】
コア１２の色、内層カバー１４の色及び外層カバー１６の色の組み合わせを種々選択することにより、任意の色のゴルフボール１０を作成することができる。この結果、鮮やかさを維持できるとともに、広範囲の色を選択することのできるゴルフボール１０が得られる。
【００２３】
なお、本発明のゴルフボールは、上述した実施形態に限定されるものではなく、本発明の要旨を逸脱しない範囲で変更することが可能である。
【００２４】
例えば、コア１２は、１層のみから構成されるソリッドコアとしているが、２層以上のマルチピースソリッドコアであってもよい。また、コア１２は、糸巻きタイプや中空タイプのものであってもよい。
【００２５】
また、カバーは、内層カバー１４及び外層カバー１６からなる２層のカバーとしているが、３層以上の半透明のカバーを備えるものであってもよい。さらに、カバーは、コア１２に被覆される最も内部に配置される層のみを不透明としてもよい。なお、内部のカバーが不透明である場合、コア１２の色は、ゴルフボール１０の見た目の色に影響を与えないため、任意の色でよい。
【００２６】
さらにまた、コア１２、内層カバー１４及び外層カバー１６を備えるゴルフボール１０は、その外周部に、さらに半透明又は透明の保護層を形成することができる。そして、この保護層の色をさらに加えて色を調整することもできる。
【実施例１】
【００２７】
実施例１〜５及び比較例１、２
図２は、本発明の実施例に係るゴルフボール及び比較例に係るゴルフボールの組成と、完成品であるゴルフボール１０の見た目の色及び比較結果とを示す図表である。
【００２８】
実施例１〜５のゴルフボール１０は、コア１２、内層カバー１４及び外層カバー１６を順に積層して形成した。一方、比較例１、２のゴルフボールは、コア１２の外周部に外層カバー１６のみを形成した。
【００２９】
実施例１〜５及び比較例１、２では、１００重量部のシス−１，４ポリブタジエン、２９重量部のアクリル酸亜鉛、２３重量部の酸化亜鉛、０．５重量部の老化防止剤、３重量部の有機過酸化物をコア用金型内で加熱加圧成形し、外周部の直径が３８．３ｍｍの白色のコア１２を得た。
【００３０】
次に、実施例１〜５では、コア１２の外周部に図２に示す配合からなる材料を射出成形することにより、コア１２に内層カバー１４を被覆し、外周部の直径が４０．３ｍｍの予備成形体を得た。なお、内層カバー１４の厚さは、１．０ｍｍである。
【００３１】
例えば、実施例１では、５０重量部のアイオノマー樹脂１（ハイミラン（登録商標）７３２９、グレード（Ｚｎイオンタイプ）  三井・デュポンポリケミカル社製）、５０重量部のアイオノマー樹脂２（ハイミラン（登録商標）７３３７、グレード（Ｎａイオンタイプ）  三井・デュポンポリケミカル社製）、０．５重量部の光輝顔料（ザイマラノルディック、グレードはゴールド  ＢＡＳＦ社製）、０．１重量部の蛍光染料１（ホスタゾール（登録商標）、イエロー３Ｇ  Ｃｌａｒｉａｎｔ社製）を混練した後、この材料をコア１２の外周部に射出成形することにより、半透明の黄色の内層カバー１４が被覆された予備成形体を得た。
【００３２】
さらに、実施例１〜５では、前記予備成形体の外周部に図２に示す配合からなる材料を射出成形することにより、内層カバー１４の外周部に外層カバー１６を被覆し、外周部の直径が４２．７５ｍｍのゴルフボール１０の完成品を得た。なお、実施例１〜５の外層カバー１６の厚さは、１．２２５ｍｍである。
【００３３】
例えば、実施例１では、５０重量部のアイオノマー樹脂１、５０重量部のアイオノマー樹脂２、０．００６２重量部の蛍光材料３（スミプラスト（登録商標）、ターコイズブルー  住化ケムテックス社製）を混練した後、この材料を予備成形体の内層カバー１４の外周部に射出成形することにより、半透明の薄青色の外層カバー１６が被覆された完成品を得た。
【００３４】
一方、比較例１、２では、コア１２の外周部に図２に示す配合からなる材料を射出成形して外層カバー１６を形成し、外周部の直径が４２．７５ｍｍのゴルフボールの完成品を得た。なお、比較例の外層カバー１６の厚さは、２．２２５ｍｍである。
【００３５】
例えば、比較例１では、５０重量部のアイオノマー樹脂１、５０重量部のアイオノマー樹脂２、０．５重量部の光輝顔料、０．１重量部の蛍光染料１、０．００６２重量部の蛍光材料３を混練した後、この材料をコア１２の外周部に射出成形することにより、薄緑色の外層カバー１６を被覆した。
【００３６】
各実施例１〜５及び比較例１、２の完成品をグリーン上に配置し、７０ｍ離れた地点から完成品が見易いか否かを評価した。図２において、○は非常に見易い、×は見づらいことを示す。
【００３７】
実施例１では、白色のコア１２の外周部に、主として蛍光染料１による見た目の色が黄色である半透明の内層カバー１４を被覆し、その外周部に、主として蛍光染料３による見た目の色が薄青色である半透明の外層カバー１６を被覆した。
【００３８】
実施例１の完成品の見た目の色は、鮮やかな薄緑色であり、非常に見易いという評価が得られた。半透明の外層カバー１６の黄色と、外層カバー１６とは独立に構成された半透明の内層カバー１４の薄青色とが混色され、鮮やかな薄緑色が生成されたものと想定される。また、半透明の内層カバー１４内及び外層カバー１６内で光が反射を繰り返すとともに、白色のコア１２に到達した光が拡散されることで、高輝度な薄緑色が得られたものと想定される。
【００３９】
一方、比較例１では、実施例１の内層カバー１４に含まれる同重量部の光輝顔料及び蛍光染料１と、実施例１の外層カバー１６に含まれる同重量部の蛍光染料３とを分散溶融させた１層のみからなる外層カバー１６をコア１２に被覆した。
【００４０】
比較例１の完成品の見た目の色は、濁った薄緑色であり、実施例１に比較して見づらいという評価が得られた。色に寄与する光輝顔料及び蛍光染料１、３の合計量が同重量部であっても、個別には鮮やかである光輝顔料及び蛍光染料１、３が１つの外層カバー１６内に分散溶融されると、その鮮やかさが低下し、濁った色になるものと想定される。また、外層カバー１６内での光の反射も少ないことが想定される。
【００４１】
実施例２では、白色のコア１２の外周部に、主として蛍光染料２による見た目の色が紫色である半透明の内層カバー１４を被覆し、その外周部に、主として蛍光染料３による見た目の色が薄青色である半透明の外層カバー１６を被覆した。
【００４２】
実施例２の完成品の見た目の色は、鮮やかな薄紫色であり、非常に見易いという評価が得られた。半透明の外層カバー１６の紫色と、半透明の内層カバー１４の薄青色とが混色され、薄紫色が生成されたものと想定される。また、半透明の内層カバー１４及び外層カバー１６内で光が反射を繰り返すとともに、白色のコア１２に到達した光が拡散されることで、鮮やかな薄紫色が得られたものと想定される。
【００４３】
一方、比較例２では、実施例２の内層カバー１４に含まれる同重量部の光輝顔料及び蛍光染料２と、実施例２の外層カバー１６に含まれる同重量部の蛍光染料３とを分散溶融させた１層のみからなる外層カバー１６をコア１２に被覆した。
【００４４】
比較例２の完成品の見た目の色は、濁った薄紫色であり、実施例２に比較して見づらいという評価が得られた。比較例１の場合と同様に、個別には鮮やかである光輝顔料及び蛍光染料２、３が１つの外層カバー１６内に分散溶融されると、その鮮やかさが低下し、濁った色になるものと想定される。また、外層カバー１６内での光の反射も少ないことが想定される。
【００４５】
実施例３では、白色のコア１２の外周部に、主として蛍光染料１による見た目の色が黄色である半透明の内層カバー１４を被覆し、その外周部に、主として蛍光染料２による見た目の色が紫色である半透明の外層カバー１６を被覆した。実施例３の完成品の見た目の色は、鮮やかなゴールドであり、非常に見易いという評価が得られた。
【００４６】
実施例４では、白色のコア１２の外周部に、主として蛍光染料１による見た目の色が黄色である半透明の内層カバー１４を被覆し、その外周部に、主として蛍光染料２による見た目の色が濃紫色である半透明の外層カバー１６を被覆した。実施例４の完成品の見た目の色は、鮮やかなカッパー（茶色）であり、非常に見易いという評価が得られた。
【００４７】
実施例５では、白色のコア１２の外周部に、主として蛍光染料２による見た目の色が紫色である半透明の内層カバー１４を被覆し、その外周部に、主として蛍光染料１による見た目の色が薄黄色である半透明の外層カバー１６を被覆した。実施例５の完成品の見た目の色は、鮮やかな薄ゴールドであり、非常に見易いという評価が得られた。
【符号の説明】
【００４８】
１０…ゴルフボール
１２…コア
１４…内層カバー
１６…外層カバー
【図１】
2011234978.tif 000003
【図２】
2011234978.tif 000004